(57)【特許請求の範囲】
【請求項１】
１本の上弦筋と２本の下弦筋を三角状に配置し、波状に屈曲させた２本のラチス筋の上側屈曲部を上記上弦筋に溶接し、各ラチス筋の下部に上記下弦筋をそれぞれ溶接して自立型トラスを形成し、該自立型トラスの端部における外下向きに開く斜めの端部ラチス筋に対して、支持用鉄筋を平行に添設して下端部を上弦筋および下弦筋と平行に曲げ、該支持用鉄筋を上記上弦筋および上記下弦筋に溶接して端部固定部材を形成し、上記ラチス筋の下側屈曲部を平行な複数の溝型を形成した鉄板に溶接したことを特徴とする床版の構造材。
【請求項２】
１本の上弦筋と２本の下弦筋を三角状に配置し、波状に屈曲させた２本のラチス筋の上側屈曲部を上記上弦筋に溶接し、各ラチス筋の下部に上記下弦筋をそれぞれ溶接して自立型トラスを形成し、該自立型トラスの端部における外下向きに開く斜めの端部ラチス筋の略１ピッチ分に対して、支持用鉄筋を平行に添設して下端部を上弦筋および下弦筋と平行に曲げ、上弦筋および下弦筋と交差する部分を溶接して端部固定部材を形成し、上記ラチス筋の下側屈曲部を平行な複数の溝型を形成した鉄板に溶接したことを特徴とする床版の構造材。
【発明の詳細な説明】
【０００１】
【発明が属する技術分野】
この発明は、コンクリート床版の構築に使用する型枠と自立型トラスよりなる構造材に関し、特に、自立型トラスの端部固定部材の構造に関する。
【０００２】
【従来の技術】
従来のコンクリート床版の構築においては、図２の正面図（ａ）および側面図（ｂ）に示すように、１本の上弦筋11と２本の下弦筋12を三角状に配置し、波状に屈曲させたラチス筋13の上側折曲部15を上弦筋11に溶接し、ラチス筋13の下部を下弦筋12に溶接して自立型トラス１を形成したのち、このラチス筋13の下側折曲部16をデッキプレート、キーストンプレート、リブプレートなどの平行な複数の溝型を形成した鉄板２に溶接して構造材を作り、この構造材を横梁３の間に架け渡して、鉄板２を捨て型枠としてコンクリートを打設する施工法が実施されている。
【０００３】
この施工法によると、自立型トラス１によって打設されたコンクリートの仮設的な荷重を支持することができるので、型枠となる鉄板２を下側から保持する保持部材が不要であり、したがって、コンクリート打設後の型枠解体作業が不要になる。そして、コンクリートの硬化後には、自立型トラス１が鉄筋コンクリートの主筋の役目を果たすものである。
【０００４】
【発明が解決しようとする課題】
施工に際して構造材を横梁３に架け渡すと、図２に示すように、鉄板２の端部を横梁３の上に載置することになるので、横梁３で自立型トラス１を直接支持させるために、上弦筋11および下弦筋12の端部を突出させ、２本の下弦筋12の突出部に水平方向に第１の鉄筋21を溶接し、上弦筋11の端部と第１の鉄筋21の中央部との間に垂直方向に第２の鉄筋22を溶接して端部固定部材20を形成する。この第２の鉄筋22の下端部は、横梁３に載置される鉄板２の上面に突き合わせるか、横梁３の形状に合わせて、図２の側面図（ｃ）に示すように、クランク状に曲げられている。
【０００５】
このような構造材を使用して、コンクリートを打設すると、構造材の自重および打設されたコンクリートの仮設的な重量を端部固定部材20を介して自立型トラス１により横梁３で支持することができる。
【０００６】
しかし、垂直な第２の鉄筋22に作用する荷重により、突出した上弦筋11に曲げモーメントが作用し、下弦筋12には水平な第１の鉄筋21を介して荷重を支持することになり、しかも、垂直な１本の第２の鉄筋22によって、端部の全荷重を支持することになる。
【０００７】
そこで、この発明は、このような構造材における自立型トラス１の端部固定部材20が具備する課題を解決し、端部固定部材20の剛性を高くし、荷重を分散させるために考えられたものである。
【０００８】
【課題を解決するための手段】
この発明の床版の構造材は、１本の上弦筋11と２本の下弦筋12を三角状に配置し、波状に屈曲させた２本のラチス筋13の上側屈曲部15を上弦筋11に溶接し、各ラチス筋13の下部に下弦筋12をそれぞれ溶接して自立型トラスを１形成し、この自立型トラス１の端部における外下向きに開く斜めの端部ラチス筋13に対して、支持用鉄筋14を平行に添設して下端部17を上弦筋および下弦筋と平行に曲げ、この支持用鉄筋14を上弦筋11および下弦筋12に溶接して端部固定部材10を形成し、ラチス筋13の下側屈曲部を平行な複数の溝型を形成した鉄板に溶接したものである。
【０００９】
また、自立型トラスの端部におけるラチス筋13の略１ピッチ分に対して、支持用鉄筋14ａ、14ｂを平行に添設して、上弦筋11および下弦筋12と交差する部分を溶接して端部固定部材を形成してもよいのである。
【００１０】
【発明の実施の形態】
（第１の実施形態）
図１の正面図（ａ）および側面図（ｂ）に示すように、１本の上弦筋11と２本の下弦筋12を三角状に配置し、波形に屈曲させた２本のラチス筋13の各上側屈曲部15で上弦筋11を挟むように溶接し、各ラチス筋13の下部に下弦筋12をそれぞれ溶接して自立型トラス１を構成する。
【００１１】
この自立型トラス１の端部において、外下向きに開く斜めのラチス筋13で終端させ、この端部ラチス筋13に対して、それぞれ支持用鉄筋14を添設し、この支持用鉄筋14を上弦筋11および下弦筋12に溶接する。
【００１２】
そして、端部ラチス筋13に添設された２本の支持用鉄筋14の下端部17を、横梁３に載置される鉄板２の上面に沿うように上弦筋および下弦筋と平行に曲げるか、図１（ｃ）に示すように、横梁３の形状に合わせてクランク状に曲げて端部固定部材10を形成する。
【００１３】
このように構成された自立型トラス１をデッキプレート、キーストンプレート、リブプレートなどの平行な複数の溝型を形成した鉄板２の上に載置し、２本のラチス筋13の各下側屈曲部16を鉄板２に溶接して床版の構造材を作る。
【００１４】
そして、この構造材を横梁３の間に架け渡し、鉄板２を捨て型枠としてコンクリートを打設して床スラブを構築するのである。
【００１５】
（第２の実施形態）
以上で説明した第１の実施形態においては、自立型トラス１の端部において、外下向きに開く斜めの端部ラチス筋13に対して、支持用鉄筋14を添設し、この支持用鉄筋14を上弦筋11および下弦筋12に溶接しているが、第２の実施形態においては、図１の側面図（ｄ）に示すように、自立型トラス１の端部におけるラチス筋13の略１ピッチ分に沿わせるように、支持用鉄筋14ａ、14ｂを添設して、上弦筋11および下弦筋12と交差する部分を溶接して端部固定部材を形成し、ラチス筋13の各下側屈曲部16を鉄板２に溶接して床版の構造材を構成する。
【００１６】
このように、端部ラチス筋13の略１ピッチ分に沿わせるように、支持用鉄筋14ａ、14ｂを添設することにより、構造材を横梁３の間に架け渡してコンクリートを打設したとき、横梁３の上において作用する剪断応力に耐えることができる。
【００１７】
【発明の効果】
以上で説明した実施の形態に基づく説明から明らかなように、この発明の床版の構造材によると、端部固定部材10の剛性が高く、構造材の自立型トラス１を横梁３で支持する際に、端部ラチス筋13に溶接された２本の支持用鉄筋14、14ａによって荷重を支持するので、横梁３上において荷重を分散させることができる。
【図面の簡単な説明】
【図１】この発明の床版の構造材を示す正面図（ａ）および側面図（ｂ）〜（ｄ）、
【図２】従来の床版の構造材を示す正面図（ａ）および側面図（ｂ）（ｃ）である。
【符号の説明】
１  自立型トラス
２  溝型を形成した鉄板
３  横梁
10  固定部材
11  上弦筋
12  下弦筋
13  ラチス筋
14、14ａ  支持用鉄筋
15  上側屈曲部
16  下側屈曲部
17、17ａ  支持用鉄筋の下端部
【図１】
0003684196.tif 000002
【図２】
0003684196.tif 000003